(57)【要約】      （修正有）【課題】装飾性に富み、屋外で使用可能な提灯を提供する。【解決手段】提灯１は、骨組みと、骨組みの表面に設けられ、耐水性を有するとともに少なくとも部分的に透光性を有するシート２ａ、２ｂと、を有する火袋２、火袋２の上端に設けられる上加輪４、及び火袋２の下端に設けられる下加輪３を備え、シート２ａは、４色以上の色彩を有する模様が付されており、下加輪３の底には、水抜き用の貫通穴が設けられている。シート２ａは、グラデーションのついたフルカラーとすることもできる。これにより、装飾性に富む提灯を構成することができる。【選択図】図１
0003233179.tif 000002
【実用新案登録請求の範囲】
【請求項１】
灯りを収容する提灯であって、
骨組みと、該骨組みの表面に設けられ、耐水性を有するとともに少なくとも部分的に透光性を有するシートと、
を有する火袋と、
前記火袋の上端に設けられる上加輪と、
前記火袋の下端に設けられる下加輪と、
を備え、前記シートは、４色以上の色彩を有する模様が付されており、
前記下加輪の底には、水抜き用の貫通穴が設けられていることを特徴とする提灯。
【請求項２】
前記シートの模様は、少なくとも前記シートの一側から他側にかけて色彩が連続的に変化するグラデーションを有することを特徴とする、請求項１に記載の提灯。
【請求項３】
前記シートの模様は、前記シート上で二次元的に色彩が連続的に変化するグラデーションを有することを特徴とする、請求項１に記載の提灯。
【請求項４】
前記シートの模様は、前記灯りの光が相対的にそれぞれ透過する濃色部と遮られる淡色部とを有することを特徴とする、請求項１〜３のいずれか一項に記載の提灯。
【請求項５】
前記シートの模様は、植物、動物、虫、キャラクター、風景、および建築物のうちの少なくとも１つを含む絵柄模様を有することを特徴とする、請求項１〜４のいずれか一項に記載の提灯。
【請求項６】
前記シートの模様は、プリンタによりシート上に印刷された写真であることを特徴とする、請求項５に記載の提灯。
【請求項７】
前記シートの模様は、プリンタによりシート上に印刷されたイラストであることを特徴とする、請求項５に記載の提灯。
【請求項８】
前記プリンタは、インクジェットプリンタであることを特徴とする、請求項６又は７に記載の提灯。
【請求項９】
前記インクジェットプリンタは、少なくともシアン、マゼンタ、イエロー、及びブラックの４色のトナーを使用することを特徴とする、請求項８に記載の提灯。
【請求項１０】
前記シートの模様は、前記４色のトナーを、それぞれ前記絵柄模様の少なくとも一部において使用する多色模様であることを特徴とする、請求項９に記載の提灯。
【考案の詳細な説明】
【技術分野】
【０００１】
本考案は、提灯に関する。
【背景技術】
【０００２】
提灯は、竹ひご（針金も含む）からなる枠状の骨組みに紙を貼って構成される火袋に蝋燭を収容し、火袋内から蝋燭の灯りを灯す伝統的な照明具である（例えば、特許文献１）。近年では、蝋燭に代えて電灯が用いられることが多い。提灯は、祭礼の場で利用されるほか、街頭販売キャンペーン、ビヤガーデン、店頭での店舗の表示、装飾としても利用されている。このため、例えば色調が段階的に変化するフルカラーの絵がついて装飾性に富み、かつ、屋外でも耐え得る耐水性のある提灯が期待されている。
【先行技術文献】
【特許文献】
【０００３】
【特許文献１】特開２０１３−０１２３１０号公報
【考案の概要】
【考案が解決しようとする課題】
【０００４】
本考案は、装飾性に富み、屋外で使用可能な提灯を提供することを課題とする。
【課題を解決するための手段】
【０００５】
本考案は、灯りを収容する提灯であって、
骨組みと、該骨組みの表面に設けられ、耐水性を有するとともに少なくとも部分的に透光性を有するシートと、
を有する火袋と、
前記火袋の上端に設けられる上加輪と、
前記火袋の下端に設けられる下加輪と、
を備え、前記シートは、４色以上の色彩を有する模様が付されており、
前記下加輪の底には、水抜き用の貫通穴が設けられていることを特徴とする。
【０００６】
これによれば、提灯の火袋を４色以上の色彩を有する模様が付されたシートより構成することで、装飾性に富む提灯を構成することができる。多色を用いたいわゆるフルカラーの提灯を構成することもできる。また、シートに耐水性があり、下加輪の底に水抜き用の貫通穴を設けたことで、降雨に耐え得るため、提灯を屋外で使用することができる。
【０００７】
本考案の提灯は、シートの模様は、少なくともシートの一側から他側にかけて色彩が連続的に変化するグラデーションを有することを特徴とする。
【０００８】
これによれば、シートの模様がグラデーションを有することで、装飾性に富む提灯を構成することができる。
【０００９】
本考案の提灯は、シートの模様は、シート上で二次元的に色彩が連続的に変化するグラデーションを有することを特徴とする。
【００１０】
これによれば、シートの模様が面積を持ったグラデーションを有することで、装飾性に富む提灯を構成することができる。
【００１１】
本考案の提灯は、シートの模様は、灯りの光が相対的にそれぞれ透過する濃色部と遮られる淡色部とを有することを特徴とする。
【００１２】
これによれば、シートの模様が灯りの光が相対的にそれぞれ透過する濃色部と遮られる淡色部とを有することで、灯りの光により装飾性が高まる提灯を構成することができる。
【００１３】
本考案の提灯は、シートの模様は、植物、動物、虫、キャラクター、風景、および建築物のうちの少なくとも１つを含む絵柄模様を有することを特徴とする。
【００１４】
これによれば、シートの模様が、植物、動物、虫、キャラクター、風景、および建築物のうちの少なくとも１つを含む絵柄模様を有することで、提灯に現代的な装飾を付すことができる。また、フルカラーの模様とすることが好ましい。
【００１５】
本考案の提灯は、シートの模様は、プリンタによりシート上に印刷された写真であることを特徴とする。
【００１６】
これによれば、シートの模様が、プリンタによりシート上に印刷された写真であることで、簡便に提灯に装飾を付すことができる。
【００１７】
本考案の提灯は、シートの模様は、プリンタによりシート上に印刷されたイラストであることを特徴とする。
【００１８】
これによれば、シートの模様が、プリンタによりシート上に印刷されたイラストであることで、簡便に提灯に装飾を付すことができる。
【００１９】
本考案の提灯は、プリンタは、インクジェットプリンタであることを特徴とする。
【００２０】
これによれば、インクジェットプリンタにより簡便に提灯に装飾を付すことができる。
【００２１】
本考案の提灯は、インクジェットプリンタは、少なくともシアン、マゼンタ、イエロー、及びブラックの４色のトナーを使用することを特徴とする。
【００２２】
これによれば、インクジェットプリンタにより簡便に提灯に多色の（フルカラーを含む）装飾を付すことができる。
【００２３】
本考案の提灯は、シートの模様は、４色のトナーを、それぞれ絵柄模様の少なくとも一部において使用する多色模様であることを特徴とする。すなわち、使用されないトナーがないので、少なくとも４色の絵柄模様となる。トナーの配合比率を変動させて、グラデーションをつけることやフルカラーとすることができる。
【００２４】
これによれば、４色のトナーを用いて多色の絵柄模様を簡便に提灯に付すことができる。
【考案の効果】
【００２５】
本考案の提灯によれば、装飾性に富み、屋外で使用可能な提灯を提供することが可能となる。
【図面の簡単な説明】
【００２６】
【図１】図１は、提灯の構成を示す。
【図２】図２は、図１の提灯の火袋を構成するシートの構成及びデザインを示す。
【図３】図３は、第２の実施形態に係る提灯の構成を示す。
【図４】図４は、図３の提灯の火袋を構成するシートの構成及びデザインを示す。
【図５】図５は、提灯の寸法を示す。
【図６】図６は、提灯の寸法を示す。
【図７】図７は、提灯の寸法を示す。
【図８】図８は、提灯の寸法を示す。
【図９】図９は、提灯の寸法を示す。
【図１０】図１０は、提灯の寸法を示す。
【図１１】図１１は、提灯の寸法を示す。
【図１２】図１２は、カラーサンプルを示す。
【図１３】図１３は、提灯の実例を示す。
【図１４】図１４は、提灯の実例を示す。
【図１５】図１５は、写真を示す。
【図１６】図１６は、提灯の実例を示す。
【図１７】図１７は、イラストを示す。
【図１８】図１８は、提灯の実例を示す。
【図１９】図１９は、提灯の実例を示す。
【図２０】図２０は、提灯の実例を示す。
【図２１】図２１は、提灯の実例を示す。
【考案を実施するための形態】
【００２７】
以下、本考案の第１の実施形態について説明する。
【００２８】
図１に、第１の実施形態に係る提灯１の構成を示す。ここで、図１（Ａ）及び図１（Ｂ）は、それぞれ、提灯１の構成を正面から示す正面図及び上面から示す上面図である。提灯１は、火袋２、下加輪３、及び上加輪４から構成される。本実施形態の提灯１は、灯りとして蝋燭を用いるものとする。
【００２９】
火袋２は、蝋燭又は電灯（不図示）を収容する袋体であり、骨組み（不図示）及びシート２ａ，２ｂから構成される。骨組みは、例えば竹ひご（針金も含む）を用いて、縦長の楕円球状の枠体１として構成される。シート２ａ，２ｂは、耐水性のある素材で形成されている。例えば、シート２ａ，２ｂは、耐水性を有する特殊和紙・特殊塩ビ・特殊ＰＶＣ等の防水加工や撥水加工が施された生地で形成されている。シート２ａ，２ｂの表面には、後述する装飾が施されている。シート２ａ，２ｂは、装飾が施されることで、少なくとも部分的に透光性を有する。火袋２は、骨組みの正面及び背面にそれぞれシート２ａを、両側面にそれぞれ各２つのシート２ｂを貼ることで構成される。火袋２は、蛇腹状に上下方向に畳むことができる。シート２ａの構成及びデザインについては後述する。
【００３０】
下加輪３は、火袋２の下端に設けられる有底の筒体である。下加輪３は、例えば金属を用いて構成され、内底中央に蝋燭を立てるピン（不図示）が設けられている。また、下加輪３の底には、水抜き用の貫通穴（不図示）が設けられている。下加輪３の底に貫通穴を設けることで、火袋２の内部に水が浸入したとしても、下加輪３の貫通穴から水を外部に排出することができ、下加輪３の底に水が溜まるのを防ぐことができる。したがって、提灯１を屋外に設置しているときに降雨があったとしても、シート２ａ，２ｂには耐水性があり、また、下加輪３内に雨水が溜まるのを防ぐことができるため、屋外での風雨に晒された環境であっても提灯１を問題なく使用することが可能となる。
【００３１】
上加輪４は、火袋２の上端に設けられる有底の筒体である。上加輪４は、例えば金属を用いて構成され、側面には提灯提げ５が傾動可能に固定されている。
【００３２】
図２に、シート２ａの構成及びデザインを示す。図２（Ａ）に示すように、シート２ａは、２つの縦長の楕円の側部を接続し、上端及び下端を切り取った形状を有する。このシート２ａでは、白地の中央に一例として「やきとり」の黒い文字が付されている。図２（Ｂ）に示すように、赤地の中央に「やきとり」の黒い文字を付してもよい。また、「やきとり」の文字に左右に色彩が連続的に変化するグラデーションを施してもよい。なお、地及び文字の彩色は任意であり、また文字に限らず、例えば赤、青、黄、及び黒を含む４色以上の色彩を有する模様をシート２ａに付してもよい。それにより、シート２ａより火袋２を構成することで、装飾性に富む提灯１を構成することができる。
【００３３】
また、図２（Ｃ）に示すように、シート２ａに、例えば上端から下端にかけて色彩が連続的に変化するグラデーションを有する模様を付してもよい。グラデーションは、シート２ａ上で二次元的に色彩が連続的に変化するものとしてもよい。それにより、装飾性に富む提灯１を構成することができる。
【００３４】
シート２ａの模様は、４色以上の色彩を有することで、灯りの光が相対的にそれぞれ透過する濃色部と遮られる淡色部とを有することとなる。ここで、シート２ａの透光率は、濃色部において例えば２０％以下であり、淡色部において例えば８０％以上である。それにより、灯りの光により装飾性が高まる提灯１を構成することができる。
【００３５】
シート２ｂは、縦長の楕円の上端及び下端を切り取った形状を有する。本実施形態では、シート２ｂは、例えば赤の単色が一面に付されている。なお、シート２ｂの色彩は任意であり、またシート２ｂはシート２ａと同様に構成してもよい。
【００３６】
シート２ａ，２ｂの色彩及び模様は、プリンタによりイラストをシートに印刷することで付すことができる。プリンタとして、インクジェットプリンタを使うことができる。それにより、簡便に提灯１に装飾を付すことができる。インクジェットプリンタは、少なくともシアン、マゼンタ、イエロー、及びブラックの４色のトナーを使用する。シートの模様は、４色のトナーを、それぞれ絵柄模様の少なくとも一部、例えば２０％以上の領域において使用する多色模様とすることができる。それにより、提灯１に多色の装飾を簡便に付すことができる。使用されないトナーがないので、少なくとも４色の絵柄模様となる。
トナーの配合比率を変動させて、グラデーションをつけることやフルカラーとすることができる。また、全ての色のトナーが２０％以上の領域に使用されると、多くの色が視認される。
【００３７】
以上詳細に説明したように、本実施形態の提灯１は、骨組み（不図示）と、骨組みの表面に設けられる少なくとも部分的に透光性を有するシート２ａ，２ｂと、を有する火袋２、火袋２の上端に設けられる上加輪４、及び火袋２の下端に設けられる下加輪３を備え、シート２ａは、４色以上の色彩を有する模様が付されている。これにより、装飾性に富む提灯を構成することができる。
【００３８】
本考案の第２の実施形態について説明する。
【００３９】
図３に、第２の実施形態に係る提灯１１の構成を示す。ここで、図３（Ａ）及び図３（Ｂ）は、それぞれ、提灯１１の構成を正面から示す正面図及び上面から示す上面図である。提灯１１は、火袋１２、下加輪１３、及び上加輪１４から構成される。なお、提灯１１の構成は、先述の提灯１の構成と同様であるため、相違のみ説明する。
【００４０】
火袋１２は、蝋燭（不図示）を収容する袋体であり、骨組み（不図示）及びシート１２ａ，１２ｂ，１２ｃ，１２ｄから構成される。骨組みは、例えば竹ひご（針金も含む）を用いて、縦長の円筒状の枠体として構成される。シート１２ａ，１２ｂ，１２ｃ，１２ｄは、例えば楮和紙を用いて、その表面に後述する装飾を施してなるシート状部材である。
火袋２は、骨組みの正面、右側面、背面、及び左側面にそれぞれシート１２ａ，１２ｂ，１２ｃ，１２ｄを貼ることで構成される。火袋２は、蛇腹状に上下方向に畳むことができる。
【００４１】
下加輪１３は、先述の下加輪３と同様に構成される。
【００４２】
上加輪１４は、先述の上加輪４と同様に構成され、その側面には提灯提げ１５が傾動可能に固定されている。
【００４３】
図４に、シート１２ａ，１２ｂ，１２ｃ，１２ｄの構成及びデザインを示す。シート１２ａ，１２ｂ，１２ｃ，１２ｄのそれぞれは、２つの縦長の楕円の側部を接続し、上端及び下端を切り取った形状を有する。シート１２ａ，１２ｂ，１２ｃ，１２ｄは、プリンタにより１枚の無地のシート２０上に例えば写真２０ａを印刷し、これから切り抜かれる。
本実施形態では、山及び森を背景に湖を含む風景の写真が用いられている。それにより、簡便に提灯１の周囲に絵柄模様の装飾を付すことができる。
【００４４】
なお、絵柄模様として、植物、動物、虫、キャラクター、風景、および建築物のうちの少なくとも１つを含むとしてよい。それにより、提灯１に現代的な装飾を付すことができる。
【００４５】
また、プリンタとして、少なくともシアン、マゼンタ、イエロー、及びブラックの４色のトナーを使用するインクジェットプリンタを使うことができる。それにより、簡便に提灯１に装飾を付すことができる。シートの模様は、４色のトナーを、それぞれ絵柄模様の少なくとも一部、例えば２０％以上の領域において使用する多色模様とすることができる。それにより、提灯に多色の装飾を簡便に付すことができる。
【００４６】
以上詳細に説明したように、本実施形態の提灯１１は、骨組み（不図示）と、骨組みの表面に設けられる少なくとも部分的に透光性を有するシート１２ａ，１２ｂ，１２ｃ，１２ｄと、を有する火袋１２、火袋１２の上端に設けられる上加輪１４、及び火袋１２の下端に設けられる下加輪１３を備え、シート１２ａ，１２ｂ，１２ｃ，１２ｄは、４色以上の色彩を有する模様が付されている。これにより、装飾性に富む提灯を構成することができる。
【００４７】
なお、第１及び第２の実施形態に係る提灯１，１１は、灯りとして蝋燭を用いるものとしたが、電灯等の灯りを用いてもよい。また、色彩や模様が印刷される前のシート２ａ，２ｂは、白色や、赤地等の色付きのみならず、透明なシートであってもよい。
【００４８】
以下、実例を説明する。
【００４９】
図５〜図１１に、各種提灯の寸法を示す。「九寸丸」「尺丸」「尺三丸」「九長」「尺二堂島」「七号桶型」「八号桶型」の提灯を示したものである。これらの提灯のいずれについても、また他の提灯についても、本考案の装飾を適用することができる。なお、図において、提灯に装飾を施していないが、これらの寸法の全てについて、本考案を適用していわゆるフルカラーの装飾が可能である。
【００５０】
図１２に、カラーサンプルを示す。図は着色されていないが、シアン、マゼンタ、イエロー、ブラックのいわゆるＣＭＹＫの配合比率で変化する色調の全てを示したものである。図１２のカラーサンプルを図１３及び図１４に示すように提灯のシートに用いることで、提灯に使用した場合の色調の見え方を実物で示すことができる。
【００５１】
図１５に、写真を示す。図１５の写真を、図の線に沿って切り取り、図１６に示すように装飾の施された九長の提灯を構成することができる。なお、写真の切り取り方を替えて、図５〜図１１に示した全ての形状、サイズの提灯を同様に構成することが当然に可能である。
【００５２】
図１７に、イラストを示す。イラストを図１７に示すよう形状に切り取り、図１８に示すように装飾の施された尺丸の提灯を構成することができる。イラストにおいては（写真と比較して）、図１７に示すように各種の色調を持たせることが容易である。色調の選択と組合せにより、図１９〜図２１に例示するように、多様な装飾が可能である。なお、図５〜図１１に示した全ての形状、サイズの提灯を同様に構成することが当然に可能である。
【産業上の利用可能性】
【００５３】
本考案の提灯は、野外イベント、雨天の街頭販売キャンペーン、海の家、ビアガーデン等の、降雨に晒される可能性のある屋外において、装飾性に富む提灯を提供するのに好適である。
【符号の説明】
【００５４】
１    提灯
２    火袋
２ａ  シート
２ｂ  シート
３    下加輪
４    上加輪
１１    提灯
１２    火袋
１２ａ  シート
１２ｂ  シート
１２ｃ  シート
１２ｄ  シート
１３  下加輪
１４  上加輪
２０  シート
【図１】
0003233179.tif 000003
【図２】
0003233179.tif 000004
【図３】
0003233179.tif 000005
【図４】
0003233179.tif 000006
【図５】
0003233179.tif 000007
【図６】
0003233179.tif 000008
【図７】
0003233179.tif 000009
【図８】
0003233179.tif 000010
【図９】
0003233179.tif 000011
【図１０】
0003233179.tif 000012
【図１１】
0003233179.tif 000013
【図１２】
0003233179.tif 000014
【図１３】
0003233179.tif 000015
【図１４】
0003233179.tif 000016
【図１５】
0003233179.tif 000017
【図１６】
0003233179.tif 000018
【図１７】
0003233179.tif 000019
【図１８】
0003233179.tif 000020
【図１９】
0003233179.tif 000021
【図２０】
0003233179.tif 000022
【図２１】
0003233179.tif 000023